(57)【要約】【課題】室内電力ユニットを介して、室内電気機器の開閉を制御でき、統合的に各種類の電気機器の開閉を制御することを実現できる電力周波数キャリア付きのプログラマブルロジックコントローラを提供する。【解決手段】中央制御ユニットとメモリと出力モジュールと入力モジュールとから構成されるプログラマブルロジックコントローラと、ワンチップ制御モジュールと電力キャリアモジュールと当該プログラマブルロジックコントローラの当該入力モジュールに接続される出力モジューと入力モジュールとが含有される変換ユニットと、当該プログラマブルロジックコントローラの当該出力モジュールと変換ユニットの入力モジュールに接続される建物室内電力ユニットとから構成される。【選択図】図１
0003127347.tif 000002
【実用新案登録請求の範囲】
【請求項１】
中央制御ユニットとそれぞれ中央制御ユニットに接続されるメモリと出力モジュールと入力モジュールとから構成されるプログラマブルロジックコントローラと、
ワンチップ制御モジュールと電力キャリアモジュールと入出力モジュールとが含有され、当該出力モジュールが、プログラマブルロジックコントローラの入力モジュールに接続される変換ユニットと、
上記のプログラマブルロジックコントローラの出力モジュールと変換ユニットの入力モジュールに接続される建物室内電力ユニットと、
が含有される、ことを特徴とする電力周波数キャリア付きのプログラマブルロジックコントローラ。
【請求項２】
当該変換ユニットの入力モジュールに外部電源入力部が接続されることを特徴とする請求項１に記載の電力周波数キャリア付きのプログラマブルロジックコントローラ。
【請求項３】
当該ワンチップ制御モジュールが、入力受信ユニットと出力制御ユニット、制御ユニット、通信インターフェース及びリレーとから構成されることを特徴とする請求項１に記載の電力周波数キャリア付きのプログラマブルロジックコントローラ。
【考案の詳細な説明】
【技術分野】
【０００１】
本考案は、電力周波数キャリア付きのプログラマブルロジックコントローラに関し、特に、統合的に各種類の電気機器の開閉を制御することを実現できるものに関する。
【背景技術】
【０００２】
一般の電気機器５は、使用する時、その外付け電源線５１を室内ソケットに挿し込むことにより、外部電源を電気機器５に供給し（図４を参照しながら）、また、ユーザーが電気機器５を起動や遮断する時、当該電気機器５上の制御パネル５２でその上のボタン５２１を選択して、起動や遮断を行う。
【０００３】
一般の電気機器５は、ユーザーにより制御パネル５２のボタン５２１で起動や遮断を選択できるが、一般の住宅において、一つだけの電気機器５があるのではなく、多数の電気機器５があるため、ユーザーが急に用があるため外出する時、身の回りの電気機器５を遮断するが、身の回りにない他の電気機器５の電源を遮断することを忘れて、エネルギーの無駄になる。
【０００４】
そのため、関係業者により延長コード６の各ソケット６１にスイッチ部６２を付加するもの（図５を参照しながら）を開発し、各電気機器がそのソケット６１に挿接される場合、電気機器を使用しない時、当該延長コード６のスイッチ部６２により、挿接される電気機器を遮断することができるが、当該延長コード６のソケット６１は直列方式により接続されるため、その中の一つのソケット６１が壊れると、延長コード６全体が使用できなくなり、また、各ソケット６１に挿接された電気機器の電源線が一杯になると、容易に、過負荷により短絡し最悪の場合、火災になる恐れがある。
【考案の開示】
【考案が解決しようとする課題】
【０００５】
本考案の主な目的は、使用上の危険性を防止でき、建物室内電力ユニットを介して、室内電気機器の開閉を制御でき、統合的に各種類の電気機器を開閉することを実現するプログラマブルロジックコントローラを提供する。
【課題を解決するための手段】
【０００６】
請求項１の考案は、中央制御ユニットとそれぞれ中央制御ユニットに接続されるメモリと出力モジュールと入力モジュールとから構成されるプログラマブルロジックコントローラと、ワンチップ制御モジュールと電力キャリアモジュールと入出力モジュールとが含有され、当該出力モジュールがプログラマブルロジックコントローラの入力モジュールに接続される変換ユニットと、上記のプログラマブルロジックコントローラの出力モジュールと変換ユニットの入力モジュールに接続される建物室内電力ユニットと、が含有される、ことを特徴とする電力周波数キャリア付きのプログラマブルロジックコントローラである。
【０００７】
請求項２の考案は、当該変換ユニットの入力モジュールに外部電源入力部が接続されることを特徴とする請求項１に記載の電力周波数キャリア付きのプログラマブルロジックコントローラである。
【０００８】
請求項３の考案は、当該ワンチップ制御モジュールが、入力受信ユニットと出力制御ユニット、制御ユニット、通信インターフェース及びリレーとから構成されることを特徴とする請求項１に記載の電力周波数キャリア付きのプログラマブルロジックコントローラである。
【考案を実施するための最良の形態】
【０００９】
図１と２は、それぞれ、本考案の基本構造概念図と本考案のブラック概念図である。本考案は、図のように、電力周波数キャリア付きのプログラマブルロジックコントローラであり、プログラマブルロジックコントローラ１と変換ユニット２と建物室内電力ユニット３とから構成され、プログラマブルロジックコントローラ１により、建物室内電力ユニット３を介して、室内の電気機器の開閉を制御でき、統合的に各種類の電気機器を開閉できる。
【００１０】
上記のプログラマブルロジックコントローラ１は、中央制御ユニット１１と、それぞれ、中央制御ユニット１１に接続されるメモリ１２と出力モジュール１３と入力モジュール１４とから構成され、計画可能のメモリ１２により論理演算やシーケンス制御、タイミング、カウント及び数学演算等の所定の機能のコマンドが蓄蔵される。
【００１１】
当該変換ユニット２は、ワンチップ制御モジュール２１と、伝送速度が１２００ＢＰＳである電力キャリアモジュール２２と、入出力モジュール２３、２４とが含有され、当該出力モジュール２３はプログラマブルロジックコントローラ１の入力モジュール１４に接続され、当該ワンチップ制御モジュール２１は、入力受信ユニット２１１と、出力制御ユニット２１２と、制御ユニット２１３と、通信インターフェース２１４と、リレー２１５とから構成され、当該制御ユニット２１３は優れた内部構造を有する８０５１ワンチップである処理ユニットであり、作動周波数が１６ＭＨｚで４Ｋである消去可能プログラマブルＲＯＭ（Ｅｌｅｃｔｒｏｎｉｃ  Ｐｒｏｇｒａｍ  Ｒｅａｄ  Ｏｎｌｙ  Ｍｅｍｏｒｙ、  ＲＯＭ）があり、また、８組の入力端と８組の出力端を提供し、また、当該ワンチップ制御モジュール２１の安全作動を確保と制御するため、当該出力端において、それぞれ当該リレー２１５により回路を隔離する。当該８０５１ワンチップの内部に１組の全二重である通信インターフェース２１４が含有され、当該通信インターフェース２１４はＲＳ２３２インターフェースで、同時に外部からのデータを送信と受信でき、その作動信号が全てＴＴＬレベル（論理０が０Ｖ、論理１が＋５Ｖ）であるため、当該通信インターフェース２１４は串列通信で一連のビット型式によりデータを送信や受信し、これにより、制御器（例えば、ディジタル式キャリヤー或いは自動測定器）や設備或いはコンピュータの間にコネクションを容易に確立する。
【００１２】
当該建物室内電力ユニット３は、室内の電力回路ソケットで、上記のプログラマブルロジックコントローラ１の出力モジュール１３と変換ユニット２の入力モジュール２４が接続される。上記の構造により、新規の電力周波数キャリア付きのプログラマブルロジックコントローラが構成される。
【００１３】
図３は、本考案の使用状態のブラック概念図である。本考案は、図のように、使用する時、当該変換ユニット２の入力モジュール２４に設置された外部電源入力部２４１を室内電力ユニット３に接続し、また、当該多数の電気機器４が、当該室内電力ユニット３に接続され（即ち、多数の電気機器４を室内電力回路のソケットに挿接する）、これにより、当該プログラマブルロジックコントローラ１と変換ユニット２と室内電力ユニット３とにより、回路が形成され、また、当該プログラマブルロジックコントローラ１のメモリ１２に予めに必要とする制御方式が入力され、ユーザーが外部電源入力部２４１と室内電力ユニット３とを接続すると、当該室内電力ユニット３から変換ユニット２に電力を供給し、当該変換ユニット２が室内電力ユニット３からの電源信号を受信すると、当該電源信号は、変換ユニット２の入力モジュール２４により、電力キャリアモジュール２２に送信され、当該電力キャリアモジュール２２にて変調された後、当該ワンチップ制御モジュール２１の入力受信ユニット２１１に出力され、また、入力受信ユニット２１１が信号を受信した後、制御ユニット２１３とリレー２１５により出力制御ユニット２１２に送信され、そして、出力制御ユニット２１２により出力モジュール２３に転送され、これにより、プログラマブルロジックコントローラ１の入力モジュール１４から中央制御ユニット１１に伝送され、また、ユーザーが電気機器４の開閉を制御する時、制御ボタン１５で当該中央制御ユニット１１に起動や遮断の信号を伝送し、当該信号はプログラマブルロジックコントローラ１の出力モジュール１３から室内電力ユニット３に出力されて、ユーザーが選択した電気機器４が起動や遮断され、これにより、建物室内電力ユニット３によりプログラマブルロジックコントローラ１に合わせて統合的に各種類の電気機器を起動や遮断することが実現される。
【００１４】
上記のように、本考案に係わる電力周波数キャリア付きのプログラマブルロジックコントローラは、有効に従来の様々の欠点を改善でき、プログラマブルロジックコントローラは建物室内電力ユニットを介して室内電（気）器設備の開閉を制御でき、統合的に各電気機器を開閉でき、そのため、本考案は、より進歩的且つより実用的であるから、法に従って、実用新案登録請求を出願する。
【００１５】
以上は、ただ、本考案のより良い実施例であり、本考案は、それによって制限されず、また、本考案に係わる実用新案登録請求や明細書の内容に従って行う等価の変更や修正は、全てが、本考案の実用新案登録請求の範囲内に含まれる。
【図面の簡単な説明】
【００１６】
【図１】本考案の基本構造概念図
【図２】本考案のブラック概念図
【図３】本考案の使用状態のブラック概念図
【図４】従来の電気機器の概念図
【図５】従来の延長コードの概念図
【符号の説明】
【００１７】
（本考案部分）
１                 プログラマブルロジックコントローラ
１１               中央制御ユニット
１２               メモリ
１３               出力モジュール
１４               入力モジュール
１５               制御ボタン
２                 変換ユニット
２１               ワンチップ制御モジュール
２１１            入力受信ユニット
２１２            出力制御ユニット
２１３            制御ユニット
２１４            通信インターフェース
２１５            リレー
２２               電力キャリアモジュール
２３               出力モジュール
２４               入力モジュール
２４１            外部電源入力部
３                 室内電力ユニット
４                 電気機器
（従来部分）
５                 電気機器
５１               外付け電源線
５２               制御パネル
５２１            ボタン
６                 延長コード
６１               ソケット
６２               スイッチ部
【図１】
0003127347.tif 000003
【図２】
0003127347.tif 000004
【図３】
0003127347.tif 000005
【図４】
0003127347.tif 000006
【図５】
0003127347.tif 000007